(57)【特許請求の範囲】
【請求項１】
打者用ヘルメットの耳保護用フラップに連結される連結部と、当該連結部から打者の頬に沿って前下方に延びる延出部とを有し、
前記連結部には、前記耳保護用フラップに対する前記連結部を基点にした前記延出部の上下方向での角度調節を可能にする角度調節部が含まれている延長フラップ。
【請求項２】
前記連結部には、前記耳保護用フラップへのネジ止めを可能にする複数の連結孔が形成され、
前記角度調節部は、前記複数の連結孔のうちの所定の連結孔を中心とする円弧状の長孔に形成された他の連結孔である請求項１に記載の延長フラップ。
【請求項３】
前記複数の連結孔のうち、打者の目元に近い前記連結部の最前に位置する連結孔が前記所定の連結孔に設定されている請求項２に記載の延長フラップ。
【請求項４】
前記所定の連結孔は、前記他の連結孔の長手方向と交差する方向に延びる直線状の長孔に形成されている請求項２又は３に記載の延長フラップ。
【発明の詳細な説明】
【技術分野】
【０００１】
本発明は、打者用ヘルメットに取り付けられる延長フラップに関する。
【背景技術】
【０００２】
上記のような延長フラップとしては、打者用ヘルメット（ヘルメット）の耳保護用フラップ（耳カバー）と延長フラップ（防護フラップ）の後方端部とに形成された留め金穴にリベットなどの複数の締結具を通して、延長フラップを、予め設定された打者用ヘルメットの固定位置に連結するように構成されたものがある（例えば特許文献１参照）。
【先行技術文献】
【特許文献】
【０００３】
【特許文献１】特公平４−６６５９５号公報
【発明の概要】
【発明が解決しようとする課題】
【０００４】
特許文献１に記載の構成では、打者用ヘルメットに対する延長フラップの取り付け角度が一定であることから、使用者（打者）によっては、視野が不必要に狭く感じる場合や広く感じる場合があり、このような場合には、視覚情報の過多や不足による集中力の低下を招くことがある。又、使用者が集中力を高めるためのルーチンとして素振りなどを行うときに腕などが延長フラップに接触する場合があり、このような場合には、ルーチンがスムーズに行えなくなることによる集中力の低下を招くことがある。
【０００５】
そこで、上記の不都合を改善するために、使用者の好みに応じて打者用ヘルメットに対する延長フラップの取り付け角度を変更することが考えられるが、特許文献１に記載の延長フラップを使用する場合には、打者用ヘルメットの耳保護用フラップに形成する孔位置を変更することになる。しかしながら、この場合には、耳保護用フラップの強度に悪影響が及ぶような位置に孔加工が行われる虞があり、耳保護用フラップの強度を確保する上において改善の余地がある。
【０００６】
この実情に鑑み、本発明の主たる課題は、打者用ヘルメットに対して使用者の要望に応じた適正な上下角度で容易に取り付けることができる延長フラップを提供する点にある。
【課題を解決するための手段】
【０００７】
本発明の第１特徴構成は、
打者用ヘルメットの耳保護用フラップに連結される連結部と、当該連結部から打者の頬に沿って前下方に延びる延出部とを有し、
前記連結部には、前記耳保護用フラップに対する前記連結部を基点にした前記延出部の上下方向での角度調節を可能にする角度調節部が含まれている点にある。
【０００８】
本構成によると、延長フラップを打者用ヘルメットに取り付ける場合に、延長フラップの角度調節部を使用して、耳保護用フラップに対する連結部を基点にした延出部の上下方向での角度調節を行うことで、耳保護用フラップに形成する孔位置を変更することなく、打者用ヘルメットに対する延長フラップの取り付け角度を、使用者（打者）の要望に応じた上下角度に容易に調節することができる。そして、この調節後に、延長フラップの連結部を耳保護用フラップに連結することで、延長フラップを、使用者の要望に応じた適正な上下角度で打者用ヘルメットに取り付けることができる。
このように、延長フラップが打者用ヘルメットに適正に取り付けられることにより、耳保護用フラップの強度に悪影響を及ぼすことなく、延長フラップによって使用者（打者）の視野を適正に制限することができるとともに、使用者がルーチンとして素振りなどを行うときに腕などが延長フラップに接触することを回避することができる。
つまり、打者用ヘルメットに対して使用者の要望に応じた適正な上下角度で容易に取り付けることができ、使用者の集中力の向上を図ることができる延長フラップを提供することができる。
【０００９】
本発明の第２特徴構成は、
前記連結部には、前記耳保護用フラップへのネジ止めを可能にする複数の連結孔が形成され、
前記角度調節部は、前記複数の連結孔のうちの所定の連結孔を中心とする円弧状の長孔に形成された他の連結孔である点にある。
【００１０】
本構成によると、延長フラップを複数の連結孔やネジなどを使用して耳保護用フラップに仮止めすることができ、延長フラップが仮止めされた打者用ヘルメットを使用者に試着させることができる。そして、この試着状態で、円弧状の長孔に形成された他の連結孔の融通を利用することで、打者用ヘルメットに対する延長フラップの上下角度を、所定の連結孔を中心にして、使用者の要望に応じた適正な角度に無段階で調節することができる。そして、この調節後に、耳保護用フラップに対して仮止め状態の延長フラップを本締め状態にすることにより、延長フラップを、使用者の要望に応じた適正な上下角度で打者用ヘルメットに取り付けることができる。
その結果、延長フラップを、使用者の要望をより的確に反映させた適正な上下角度で、打者用ヘルメットに容易に取り付けることができる。
【００１１】
本発明の第３特徴構成は、
前記複数の連結孔のうち、打者の目元に近い前記連結部の最前に位置する連結孔が前記所定の連結孔に設定されている点にある。
【００１２】
本構成によると、打者用ヘルメットに対して延長フラップを上下方向に角度調節する場合に、延長フラップにおける使用者の目元側部分の変化量を小さくすることができる。
その結果、延長フラップの角度調節による視野の微調整が行い易くなり、よって、延長フラップを、使用者の要望をより的確に反映させた適正な上下角度で、打者用ヘルメットに更に容易に取り付けることができる。
【００１３】
本発明の第４特徴構成は、
前記所定の連結孔は、前記他の連結孔の長手方向と交差する方向に延びる直線状の長孔に形成されている点にある。
【００１４】
本構成によると、耳保護用フラップに、延長フラップの所定の連結孔に対応する貫通孔と、他の連結孔に対応する貫通孔とを形成するときに、例えば、これらの貫通孔間に、他の連結孔（円弧状の長孔）の長手方向に沿う方向の位置ずれが生じた場合には、この位置ずれを他の連結孔（円弧状の長孔）にて吸収することができる。又、貫通孔間に、他の連結孔（円弧状の長孔）の長手方向と交差する方向の位置ずれが生じた場合には、この位置ずれを所定の連結孔（直線状の長孔）にて吸収することができる。
その結果、耳保護用フラップに延長フラップ連結用の貫通孔を形成するときに多少の位置ずれが生じた場合においても、延長フラップを、使用者の要望に応じた上下角度で打者用ヘルメットに容易に取り付けることが可能になる。
【図面の簡単な説明】
【００１５】
【図１】角度調節部などの構成を示す延長フラップが取り付けられた右打者用ヘルメットの側面図
【図２】延長フラップが取り付けられた右打者用ヘルメットの縦断側面図
【図３】右打者用ヘルメットに対する延長フラップの取り付け構造を示す分解側面図
【図４】角度調節部による右打者用ヘルメットに対する延長フラップの上下方向への角度調節状態を示す側面図
【図５】別実施形態での角度調節部の構成を示す延長フラップが取り付けられた右打者用ヘルメットの側面図
【発明を実施するための形態】
【００１６】
以下、本発明を実施するための形態の一例として、本発明に係る延長フラップを、打者用ヘルメットの一例である右打者用ヘルメットに適用した実施形態を図面に基づいて説明する。
なお、本発明に係る延長フラップは、右打者用ヘルメットに限らず、左打者用ヘルメットや左右兼用の打者用ヘルメットに適用することができる。
【００１７】
図１〜４に示すように、本実施形態で例示する右打者用ヘルメット１には、右打者用ヘルメット１の外面側を形成するシェル１０と、右打者用ヘルメット１の内面側を形成する内層材２０とが備えられている。
【００１８】
シェル１０は、硬質の非発泡樹脂の一例であるポリカーボネート樹脂やＡＢＳ樹脂を用いた射出成形により、打者頭部の上側を覆う半球殻状のヘルメット本体１１と、ヘルメット本体１１から前方に延びる庇部１２と、ヘルメット本体１１の左側部から下方に延びる耳保護用フラップ１３とが一体形成されている。内層材２０は、発泡樹脂の一例である発泡ポリスチレン樹脂を用いて、ヘルメット本体１１の内面に沿う半球殻状に成形されており、ヘルメット本体１１の内面に密着状態で接着されている。ヘルメット本体１１及び内層材２０には複数の通気孔１１Ａ，２０Ａが形成されている。
【００１９】
図１〜４に示すように、耳保護用フラップ１３の中央側には、開口面積の大きい第１開口部１３Ａと開口面積の小さい第２開口部１３Ｂとが前後に並んで形成されている。図２に示すように、耳保護用フラップ１３の内面には、衝撃吸収用のパッド３０が接着剤や両面テープなどを使用して貼り付けられている。パッド３０は、耳保護用フラップ１３の下縁に沿うＵ字状に成形された発泡樹脂製の芯材（図示省略）と、芯材を覆う天然皮革又は合成皮革などの表皮材３１とを有している。パッド３０は、耳保護用フラップ１３の下縁と第１開口部１３Ａとの間に配置されている。
【００２０】
図１〜４に示すように、右打者用ヘルメット１には、耳保護用フラップ１３にネジ止めされた右打者用の延長フラップ４０が備えられている。つまり、この右打者用ヘルメット１は、延長フラップ４０が取り付けられていない標準仕様から、延長フラップ４０が取り付けられたオプション仕様に仕様変更されている。そのため、この右打者用ヘルメット１の耳保護用フラップ１３には、延長フラップ４０の取り付けを可能にする取付部１３Ｃが備えられている。
【００２１】
図１〜４に示すように、取付部１３Ｃは、耳保護用フラップ１３における下縁と第１開口部１３Ａとの間に位置するＵ字状の下部側領域に設定されている。取付部１３Ｃには、延長フラップ連結用の３つの貫通孔１３ａ〜１３ｃと３つのＴナット２とが備えられている。３つの貫通孔１３ａ〜１３ｃは、取付部１３Ｃにおける耳保護用フラップ１３の下縁と第１開口部１３Ａの周縁とのそれぞれから所定距離を隔てた所定位置に、前後方向に所定間隔を置いて形成されている。図３に示すように、各Ｔナット２は、耳保護用フラップ１３の内面側から貫通孔１３ａ〜１３ｃに挿入される筒状の雌ネジ部２ａと、耳保護用フラップ１３の内面に受け止められるプレート部２ｂとを有している。図２に示すように、各Ｔナット２は、耳保護用フラップ１３の内面に貼り付けられたパッド３０によってプレート部２ｂが覆い隠されている。
【００２２】
延長フラップ４０は、右打者用ヘルメット１のシェル１０と同じポリカーボネート樹脂もしくはＡＢＳ樹脂を用いて成形されている。図１〜４に示すように、延長フラップ４０は、耳保護用フラップ１３に連結される連結部４１と、連結部４１から打者の頬に沿って前下方に延びる延出部４２とを有している。連結部４１は、取付部１３Ｃと略同じ形状のＵ字状に形成されている。連結部４１には、耳保護用フラップ１３に対する連結部４１を基点にした延出部４２の上下方向での角度調節を可能にする角度調節部４１Ａが含まれている。図２に示すように、延長部４２における延長側の端部には、緩衝材として機能するゴムスポンジ製のパッド４３が接着剤や両面テープなどを使用して貼り付けられている。
【００２３】
図１、図３〜４に示すように、連結部４１には、耳保護用フラップ１３へのネジ止めを可能にする３つの連結孔４１ａ〜４１ｃが形成されている。３つの連結孔４１ａ〜４１ｃは、それらのうちの打者の目元に近い連結部４１の最前に位置する第１連結孔（所定の連結孔）４１ａが、延長部４２を角度調節するときの中心位置に設定されている。そして、残り２つの第２連結孔（他の連結孔）４１ｂと第３連結孔（他の連結孔）４１ｃとが、第１連結孔４１ａを中心とする円弧状の長孔に形成され、これらの長さの範囲で延長フラップ４０の角度調節を可能にする角度調節部４１Ａとして機能する。第１連結孔４１ａは、第２連結孔４１ｂ及び第３連結孔４１ｃの長手方向と交差する方向に延びる直線状の長孔に形成されている。
【００２４】
以上の通り、本実施形態にて例示した延長フラップ４０は、右打者用ヘルメット１の耳保護用フラップ１３に連結される連結部４１と、この連結部４１から打者の頬に沿って前下方に延びる延出部４２とを有している。そして、延長フラップ４０の連結部４１には、耳保護用フラップ１３に対する連結部４１を基点にした延出部４２の上下方向での角度調節を可能にする角度調節部４１Ａが含まれている。
【００２５】
これにより、延長フラップ４０を右打者用ヘルメット１に取り付ける場合には、角度調節部４１Ａを使用して、耳保護用フラップ１３に対する連結部４１を基点にした延出部４２の上下方向での角度調節を行うことで、右打者用ヘルメット１に対する延長フラップ４０の取り付け角度を、使用者（打者）の要望に応じた上下角度に容易に調節することができる。そして、この調節後に、延長フラップ４０の連結部４１を耳保護用フラップ１３に連結することで、延長フラップ４０を、使用者の要望に応じた適正な上下角度で右打者用ヘルメット１に取り付けることができる。
【００２６】
このように、延長フラップ４０が右打者用ヘルメット１に適正に取り付けられることにより、延長フラップ４０によって使用者（打者）の視野を適正に制限することができるとともに、使用者がルーチンとして素振りなどを行うときに腕などが延長フラップ４０に接触することを回避することができる。
【００２７】
つまり、右打者用ヘルメット１に対して延長フラップ４０を使用者の要望に応じた適正な上下角度で容易に取り付けることができ、その結果、使用者の集中力の向上を図ることができる。
【００２８】
延長フラップ４０の取り付けについて詳述すると、前述したように、延長フラップ４０の連結部４１には、右打者用ヘルメット１の耳保護用フラップ１３へのネジ止めを可能にする３つの連結孔４１ａ〜４１ｃが形成されている。そして、連結部４１の角度調節部４１Ａは、３つの連結孔４１ａ〜４１ｃのうちの第１連結孔４１ａを中心とする円弧状の長孔に形成された第２連結孔４１ｂと第３連結孔４１ｃである。
【００２９】
これにより、延長フラップ４０を各連結孔４１ａ〜４１ｃや小ネジ３などを使用して右打者用ヘルメット１の耳保護用フラップ１３に仮止めすることができ、延長フラップ４０が仮止めされた右打者用ヘルメット１を使用者に試着させることができる。そして、この試着状態で、円弧状の長孔に形成された第２連結孔４１ｂ及び第３連結孔４１ｃの融通を利用することで、右打者用ヘルメット１に対する延長フラップ４０の上下角度を、第１連結孔４１ａの小ネジ３を中心にして、使用者の要望に応じた適正な角度に無段階で調節することができる。そして、この調節後に、耳保護用フラップ１３に対して仮止め状態の延長フラップ４０を本締め状態にすることにより、延長フラップ４０を、使用者の要望に応じた適正な上下角度で右打者用ヘルメット１に取り付けることができる。
【００３０】
その結果、延長フラップ４０を、使用者の要望をより的確に反映させた適正な上下角度で、右打者用ヘルメット１に容易に取り付けることができる。
【００３１】
そして、本実施形態にて例示した延長フラップ４０においては、前述したように、延長フラップ４０の連結部４１に形成された３つの連結孔４１ａ〜４１ｃのうち、打者の目元に近い連結部４１の最前に位置する第１連結孔４１ａが、延長部４２を角度調節するときの中心となる所定の連結孔に設定されている。
【００３２】
これにより、右打者用ヘルメット１に対して延長フラップ４０を上下方向に角度調節する場合には、延長フラップ４０における使用者の目元側部分の変化量を小さくすることができる。
【００３３】
その結果、延長フラップ４０の角度調節による視野の微調整が行い易くなり、よって、延長フラップ４０を、使用者の要望をより的確に反映させた適正な上下角度で、右打者用ヘルメット１に更に容易に取り付けることができる。
【００３４】
しかも、本実施形態にて例示した延長フラップ４０においては、前述したように、第１連結孔４１ａが、第２連結孔４１ｂ及び第３連結孔４１ｃの長手方向と交差する方向に延びる直線状の長孔に形成されている。
【００３５】
これにより、耳保護用フラップ１３に、延長フラップ４０の第１連結孔４１ａに対応する第１貫通孔１３ａと、第２連結孔４１ｂ及び第３連結孔４１ｃに対応する第２貫通孔１３ｂ及び第３貫通孔１３ｃとを形成するときに、例えば、第１貫通孔１３ａと第２貫通孔１３ｂ及び第３貫通孔１３ｃとの間に、第２連結孔４１ｂ及び第３連結孔４１ｃの長手方向に沿う方向の位置ずれが生じた場合には、この位置ずれを第２連結孔４１ｂ及び第３連結孔４１ｃにおいて吸収することができる。又、第１貫通孔１３ａと第２貫通孔１３ｂ及び第３貫通孔１３ｃとの間に、第２連結孔４１ｂ及び第３連結孔４１ｃの長手方向と交差する方向の位置ずれが生じた場合には、この位置ずれを第１連結孔４１ａにおいて吸収することができる。
【００３６】
その結果、耳保護用フラップ１３に延長フラップ連結用の各貫通孔１３ａ〜１３ｃを形成するときに多少の位置ずれが生じた場合においても、延長フラップ４０を、使用者の要望に応じた上下角度で右打者用ヘルメット１に容易に取り付けることが可能になる。
【００３７】
〔別実施形態〕
本発明の別実施形態について説明する。
なお、以下に説明する各別実施形態の構成は、それぞれ単独で適用することに限らず、上記の実施形態や他の別実施形態の構成と組み合わせて適用することも可能である。
【００３８】
（１）上記の実施形態においては、延長フラップ４０として、３つの連結孔４１ａ〜４１ｃのうち、打者の目元に近い連結部４１の最前に位置する第１連結孔４１ａが、耳保護用フラップ１３に対して延長フラップ４０の延出部４２を上下方向に角度調節するときの中心となる所定の連結孔に設定され、又、３つの連結孔４１ａ〜４１ｃのうち、第２連結孔４１ｂと第３連結孔４１ｃとが、第１連結孔４１ａを中心とする円弧状の長孔に形成されて角度調節部４１Ａとして機能する他の連結孔に設定されたものを例示した。しかしながら、これに限らず、延長フラップ４０としては、例えば、図５に示すように、３つの連結孔４１ａ〜４１ｃのうち、連結部４１の前後中央側に位置する第２連結孔４１ｂが、角度調節の中心となる所定の連結孔に設定され、又、３つの連結孔４１ａ〜４１ｃのうち、第１連結孔４１ａと第３連結孔４１ｃとが、第２連結孔４１ｂを中心とする円弧状の長孔に形成されて角度調節部４１Ａとして機能する他の連結孔に設定されたものであってもよい。
又、図示は省略するが、延長フラップ４０としては、３つの連結孔４１ａ〜４１ｃのうち、打者の目元から最も離れた連結部４１の後部に位置する第３連結孔４１ｃが、角度調節の中心となる所定の連結孔に設定され、又、３つの連結孔４１ａ〜４１ｃのうち、第１連結孔４１ａと第２連結孔４１ｂとが、第３連結孔４１ｃを中心とする円弧状の長孔に形成されて角度調節部４１Ａとして機能する他の連結孔に設定されたものであってもよい。
【００３９】
（２）上記の実施形態においては、延長フラップ４０として、その連結部４１に、角度調節の中心となる第１連結孔（所定の連結孔）４１ａと、角度調節部４１Ａとして機能する第２連結孔（他の連結孔）４１ｂと第３連結孔（他の連結孔）４１ｃとの合計３つの連結孔が形成されたものを例示したが、これに限らず、例えば、連結部４１に、角度調節の中心となる第１連結孔４１ａと、角度調節部４１Ａとして機能する第３連結孔４１ｃとの合計２つの連結孔が形成されたものであってもよい。
そして、このように連結部４１に２つの連結孔４１ａ，４１ｃが形成される延長フラップ４０においては、連結部４１の後部に位置する第３連結孔４１ｃが角度調節の中心に設定され、又、連結部４１の前部に位置する第１連結孔４１ａが、第３連結孔４１ｃを中心とする円弧状の長孔に形成されていてもよい。
又、連結部４１に２つの連結孔４１ａ，４１ｃが形成される延長フラップ４０においては、連結部４１の中央が角度調節の中心に設定され、又、第１連結孔４１ａと第３連結孔４１ｃとのそれぞれが、連結部４１の中央を中心とする円弧状の長孔に形成されていてもよい。
更に、延長フラップ４０としては、例えば、連結部４１に、角度調節の中心となる第１連結孔４１ａと、角度調節部４１Ａとして機能する第２連結孔４１ｂと第３連結孔４１ｃと第４連結孔とを含む合計４つ以上の連結孔が形成されたものであってもよい。
そして、この場合においても、上記の別実施形態と同様に、４つ以上の連結孔のうち、いずれの連結孔を角度調節の中心となる所定の連結孔に設定し、角度調節部４１Ａとして機能する他の連結孔に設定するかは種々の変更が可能である。
【００４０】
（３）上記の実施形態においては、延長フラップ４０の連結部４１に形成された３つの連結孔４１ａ〜４１ｃのうち、所定の連結孔４１ａを中心とする円弧状の長孔に形成された他の連結孔４１ｂ，４１ｃが角度調節部４１Ａとして機能するものを例示したが、これに限らず、所定の連結孔４１ａを中心とする円弧上に一定間隔をおいて形成された複数の連結孔が角度調節部４１Ａとして機能するものであってもよい。この場合、耳保護用フラップ１３に対する延長フラップ４０の延出部４２の角度調節が有段階で行われることになる。
【００４１】
（４）上記の実施形態においては、耳保護用フラップ１３に対して延長フラップ４０の延出部４２を上下方向に角度調節するときの中心となる第１連結孔（所定の連結孔）４１ａが、第２連結孔（他の連結孔）４１ｂ及び第３連結孔（他の連結孔）４１ｃの長手方向と交差する方向に延びる直線状の長孔に形成されたものを例示したが、これに限らず、第１連結孔（所定の連結孔）４１ａが丸孔に形成されたものであってもよい。
【符号の説明】
【００４２】
１      打者用ヘルメット
１３    耳保護用フラップ
４１    連結部
４１Ａ  角度調節部
４１ａ  連結孔（第１連結孔）
４１ｂ  連結孔（第２連結孔）
４１ｃ  連結孔（第３連結孔）
４２    延出部
【要約】
【課題】打者用ヘルメットに対して使用者の要望に応じた適正な上下角度で容易に取り付けることができる延長フラップを提供する。
【解決手段】打者用ヘルメット１に取り付けられる延長フラップ４０は、打者用ヘルメット１の耳保護用フラップ１３に連結される連結部４１と、当該連結部４１から打者の頬に沿って前下方に延びる延出部４２とを有し、連結部４１には、耳保護用フラップ１３に対する連結部４１を基点にした延出部４２の上下方向での角度調節を可能にする角度調節部４１Ａが含まれている。
【選択図】図４【図１】
0006935532.tif 000002
【図２】
0006935532.tif 000003
【図３】
0006935532.tif 000004
【図４】
0006935532.tif 000005
【図５】
0006935532.tif 000006